(57)【特許請求の範囲】
【請求項１】
画像形成装置から記録紙搬送ユニットによって排紙された記録紙を収納する排紙台と、エンドフェンスと、サイドフェンスとを有するトレイを具えるとともに、排紙される記録紙を下向きに凸面を形成して該トレイの上に向かって搬送されるように案内する１対の案内部材を具えた排紙収納装置において、前記トレイの排紙台上であって、記録紙搬送ユニットの出口部分に面した位置に、エンドフェンスと対向し、かつ記録紙の後端面を誘導する１対のバックフェンスをサイドフェンスと連設して配置し、これらバックフェンスはサイドフェンスの内側面より内方に突出した停止壁部をサイドフェンスの高さにわたり有し、該停止壁部間の幅Ｌ２が前記案内部材に案内されて搬送されてくる記録紙の幅より小さい幅となっていて、この小さい幅の停止壁部間を記録紙が干渉することなく通過可能にしていることを特徴とする画像形成装置の排紙収納装置。
【請求項２】
バックフェンスの停止壁部のサイドフェンスの内側面からの突出量が調節可能となっていることを特徴とする請求項１に記載の画像形成装置の排紙収納装置。
【請求項３】
バックフェンスは停止壁部に連設されて、サイドフェンスの外側面に当接する連結部を有し、この連結部には透孔が設けられて、この透孔にサイドフェンスの外側面に設けた連結ピンが嵌入していることを特徴とする請求項２に記載の画像形成装置の排紙収納装置。
【請求項４】
サイドフェンスの連結部には弾性によって収縮可能な係止透孔が設けられ、この係止透孔に嵌入して任意位置で係止される係止ピンが、サイドフェンスの外側面に設けられていることを特徴とする請求項３に記載の画像形成装置の排紙収納装置。
【発明の詳細な説明】
【０００１】
【発明の属する技術分野】
この発明は、複写機や印刷機のような画像形成装置の排紙収納装置に関する。
【０００２】
【従来の技術】
従来この種の画像形成装置の排紙収納装置において、画像形成装置の記録紙搬送ユニットによって排紙された記録紙を収納する排紙台、エンドフェンス及びサイドフェンスを有するトレイを具えているものが周知である。ところでこのようものにあっては、（１）記録紙の紙質、サイズ、印刷特に孔版印刷における印刷機の種類等によって、画像面がインキによって展延して、記録紙がアーチ状の形態となり、その積載時に空気層の抵抗によって、整列性が悪くなり、（２）画像形成装置の作動速度の向上につれて、エンドフェンスに記録紙の先端が衝突して、その反動によって記録紙が跳ね返って、記録紙間の空気層によって記録紙が不整列となり、（３）これらのことから発生した不整列の修正という厄介な作業が必要となるというような問題がある。
【０００３】
【発明が解決しようとする課題】
そこでこのような問題を解消するものとして、特開平9-100057号公報に開示されたものが提案されている。これは図５に示すようなものであって、排紙台24と、エンドフェンス26と、サイドフェンス27とを有するトレイ28を具え、該トレイ28の排紙台24上において、記録紙搬送ユニット22の出口部分29に面した位置に、エンドフェンス26と対向し、かつ記録紙23の後端面を誘導するバックフェンス31を配置し、このバックフェンス31は支持部材32に枢支された上端部の支軸33を中心として揺動可能に垂下している。
【０００４】
前記のようなものにおいて、画像形成装置21から記録紙搬送ユニット22によってその出口部分29に搬送された記録紙23は、矢印Ａの方向に飛ばされて位置３−１に移動する。そしてその前端がエンドフェンス26に衝突して下動すると同時に、衝突の反動によって矢印Ｂの方向に飛ばされて位置３−２に移動して、その後端がバックフェンス31に衝突する。この衝突の際の衝撃力によってバックフェンス31は、いったんその支軸33を中心として、実線で示した垂下位置から矢印Ｃに示すように反時計方向に揺動して鎖線位置に変位し、その後衝撃力が解消するとその自重による回転モーメントによって、記録紙33の後端を押動しながら矢印Ｄに示すように時計方向に揺動して原垂下位置に復帰し、このようにしてバックフェンス31が、記録紙23の後端を押動してその前端をエンドフェンス26に当接させることとなるため、記録紙23はエンドフェンス26とバックフェンス31との間における位置３−３から位置３−４に、不揃いを生ずることなく矢印Ｅに示すように円滑に下動し、一様に排紙台24上の正確な位置に水平に順次積載される。
【０００５】
このようにして前記したような従来の画像形成装置の排紙収納装置のもつ問題を解消し、記録紙の紙質、サイズ、特に孔版印刷における印刷機の種類等によって、画像面がインキによって展延して、記録紙がアーチ状の形態となることがなく、またエンドフェンスで跳ね返った記録紙が、記録紙間の空気層によって不整列となることがなくて、記録紙を整列させた状態で確実に排紙台に積載することができるものではあるが、その構造が複雑であって、安価に提供することができないという問題がある。
【０００６】
そこでこの発明の目的は、前記のような従来の画像形成装置の排紙収納装置のもつ問題を解消し、記録紙の紙質、サイズ、特に孔版印刷における印刷機の種類等によって、画像面がインキによって展延して、記録紙がアーチ状の形態となることがなく、またエンドフェンスで跳ね返った記録紙が、記録紙間の空気層によって不整列となることがなくて、記録紙を整列させた状態で確実に排紙台に積載することができ、しかも構造が簡単で安価な画像形成装置の排紙収納装置を提供するにある。
【０００７】
【課題を解決するための手段】
この発明は前記のような目的を達成するために、画像形成装置から記録紙搬送ユニットによって排紙された記録紙を収納する排紙台と、エンドフェンスと、サイドフェンスとを有するトレイを具えるとともに、排紙される記録紙を下向きに凸面を形成して該トレイの上に向かって搬送されるように案内する１対の案内部材を具えた排紙収納装置において、前記トレイの排紙台上であって、記録紙搬送ユニットの出口部分に面した位置に、エンドフェンスと対向し、かつ記録紙の後端面を誘導する１対のバックフェンスをサイドフェンスと連設して配置し、これらバックフェンスはサイドフェンスの内側面より内方に突出した停止壁部をサイドフェンスの高さにわたり有し、該停止壁部間の幅Ｌ２が前記案内部材に案内されて搬送されてくる記録紙の幅より小さい幅となっていて、この小さい幅の停止壁部間を記録紙が干渉することなく通過可能にしていることを特徴とするものである。
【０００８】
請求項２に記載の発明は、請求項１に記載の発明において、バックフェンスの停止壁部のサイドフェンスの内側面からの突出量が調節可能となっていることを特徴とするものである。
【０００９】
請求項３に記載の発明は、請求項２に記載の発明において、バックフェンスは停止壁部に連設されて、サイドフェンスの外側面に当接する連結部を有し、この連結部には透孔が設けられて、この透孔にサイドフェンスの外側面に設けた連結ピンが嵌入していることを特徴とするものである。
【００１０】
請求項４に記載の発明は、請求項３に記載の発明において、サイドフェンスの連結部には弾性によって収縮可能な係止透孔が設けられ、この係止透孔に嵌入して任意位置で係止される係止ピンが、サイドフェンスの外側面に設けられていることを特徴とするものである。
【００１１】
【発明の実施の形態】
図１〜４に示すこの発明の実施形態において、画像形成装置１から記録紙搬送ユニット２によって排紙された記録紙３を収納する排紙台４と、エンドフェンス６と、サイドフェンス７とを有するトレイ８を具え、トレイ８の排紙台４上において、記録紙搬送ユニット２の出口部分９に面した位置に、エンドフェンス７と対向し、かつ記録紙３の後端面を誘導するバックフェンス11を配置し、このバックフェンス11はサイドフェンス７の内側面より内方に突出した停止壁部12を有する。
【００１２】
バックフェンス11には、サイドフェンス７の外側面に隣接する連結部13が設けられていて、この連結部13には透孔14が設けられて、この透孔14にサイドフェンス７の外側面に設けた連結ピン16が嵌入している。さらにサイドフェンス７の連結部13には弾性によって収縮可能な縦長の係止透孔17が設けられている。そしてサイドフェンス７の外側面には係止ピン18が設けられていて、この係止ピン18は係止透孔17に嵌入して、この係止透孔17の弾性による摩擦によって任意位置で係止されて、バックフェンス11の停止壁部12の内方の縦方向先端面と、サイドフェンス７の内側面との距離Ｄすなわち停止壁部12のサイドフェンス７の内側面からの突出量を調節することができるようになっている。そして係止ピン18には、この係止ピン18が係止透孔17から抜け出てしまわないようにストッパ19が取付けられている。
【００１３】
前記のように構成されていることから、図３に示すように、サイドフェンス７の内側面間の幅Ｌ１と停止壁部12間の幅Ｌ２とは、幅Ｌ１＞幅Ｌ２となっており、幅Ｌ１は収納される記録紙３の幅と同じにセットされるので、幅Ｌ２は記録紙３の幅より狭いことになる。
【００１４】
前記のようなものにおいて、記録紙３を収納するに際しては、収納する記録紙３の幅に対応してサイドフェンス７の内側面間の幅Ｌ１を設定し、このようにしたところへ画像形成装置１から、記録紙搬送ユニット２によってその出口部分９から記録紙３が搬送されてくる。この場合記録紙３は通常記録紙搬送ユニット２に設けられた案内部材10に案内されて、図３に示すように凸面が下向きとなって、トレイ８の上に向かって搬送されてくる。記録紙３はこのような状態で搬送されてくることから、出口部分９に隣接した停止壁部12間を通過する際には、記録紙３の幅より小さい幅となっており、したがって小さい幅Ｌ２の停止壁部12間をこれに干渉されることなく通過する。
【００１５】
そしてその後その前端がエンドフェンス６に衝突して下動すると同時に、衝突の反動によって飛ばされて後方に移動し、その後端がバックフェンス11の停止壁部12に衝突し、記録紙３はエンドフェンス６とバックフェンス11の停止壁部12との間に、不揃いを生ずることなく円滑に下動し、一様に排紙台４上の正確な位置に水平に順次積載される。
【００１６】
前記の際記録紙３のサイズ又は硬さ等によって、停止壁部12間の幅Ｌ２がここを通過する記録紙３の幅と整合しなくなる場合には、バックフェンス11をもって係止ピン18と係止透孔17との摩擦に抗して、バックフェンス11を所望位置まで移動させて停止し、幅Ｌ２の寸法調整をすることとなる。
【００１７】
【発明の効果】
この発明は前記のようであって、画像形成装置から記録紙搬送ユニットによって排紙された記録紙を収納する排紙台と、エンドフェンスと、サイドフェンスとを有するトレイを具えるとともに、排紙される記録紙を下向きに凸面を形成して該トレイの上に向かって搬送されるように案内する１対の案内部材を具えた排紙収納装置において、前記トレイの排紙台上であって、記録紙搬送ユニットの出口部分に面した位置に、エンドフェンスと対向し、かつ記録紙の後端面を誘導する１対のバックフェンスをサイドフェンスと連設して配置し、これらバックフェンスはサイドフェンスの内側面より内方に突出した停止壁部をサイドフェンスの高さにわたり有し、該停止壁部間の幅Ｌ２が前記案内部材に案内されて搬送されてくる記録紙の幅より小さい幅となっていて、この小さい幅の停止壁部間を記録紙が干渉することなく通過可能にしているので、記録紙の紙質、サイズ、特に孔版印刷における印刷機の種類等によって、画像面がインキによって展延して、記録紙がアーチ状の形態となることがなく、またエンドフェンスで跳ね返った記録紙が、記録紙間の空気層によって不整列となることがなくて、記録紙を整列させた状態で確実に排紙台に積載することができ、しかも構造が簡単で安価であるという効果がある。
【００１８】
請求項２に記載の発明は、請求項１に記載の発明において、バックフェンスの停止壁部のサイドフェンスの内側面からの突出量が調節可能となっているので、記録紙の紙質、サイズ等によって、停止壁部間の幅がここを通過する記録紙の幅と整合しなくなる場合に、これに適応させて記録紙が停止壁部によって干渉されることなく、円滑に通過することができるという効果がある。
【００１９】
請求項３に記載の発明は、請求項２に記載の発明において、バックフェンスは停止壁部に連設されて、サイドフェンスの外側面に当接する連結部を有し、この連結部には透孔が設けられて、この透孔にサイドフェンスの外側面に設けた連結ピンが嵌入しており、請求項４に記載の発明は、サイドフェンスの連結部には弾性によって収縮可能な係止透孔が設けられ、この係止透孔に嵌入して任意位置で係止される係止ピンが、サイドフェンスの外側面に設けられているので、停止壁部間の幅の調節が簡単な構造部分の簡単な操作によって確実に行われるという効果がある。
【図面の簡単な説明】
【図１】  この発明の実施形態の要部の正面図である。
【図２】  同上の斜面図である。
【図３】  図１の線３−３による断面図である。
【図４】  同上のバックフェンスの壁部の位置調整の説明図である。
【図５】  この発明と同種の従来の排紙収納装置の１例の要部の正面図である。
【符号の説明】
１  画像形成装置                ２  記録紙搬送ユニット
３  記録紙                      ４  排紙台
６  エンドフェンス              ７  サイドフェンス
８  トレイ                      ９  出口部分
10  案内部材                    11  バックフェンス
12  停止壁部                    13  連結部
14  透孔                        16  連結ピン
17  係止透孔                    18  係止ピン
19  ストッパ
【図１】
0003907291.tif 000002
【図２】
0003907291.tif 000003
【図３】
0003907291.tif 000004
【図４】
0003907291.tif 000005
【図５】
0003907291.tif 000006